【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
１つ以上の無線ネットワークアプリケーションに役立つデータを得る方法であって、方法が、次のステップ、すなわち、
ネットワークイベントの発生を検出するステップと、
ネットワークイベントの発生を検出することに応答して、無線通信システム内で動作している加入者局の位置推定を得るステップと、
位置推定を得ることに応答して、測定された、または得られたデータおよびイベント識別子の少なくとも一方と、加入者局の位置推定を関係付けるレコードを形成するステップと、
レコードを形成することに応答して、レコードを記憶または送信するステップとを行うことを含み、
ネットワークイベントが、加入者局が受信可能範囲領域に入ること、加入者局が受信可能範囲領域から出ること、および加入者局が無線通信システムの受信可能範囲領域の外にいる間に、タイマが切れることの中の少なくとも１つを含む方法。
【請求項２】
ネットワークイベントが、加入者局によって観察される請求項１記載の方法。
【請求項３】
ネットワークイベントが、加入者局以外の無線通信システム内のエンティティによって観察される請求項１記載の方法。
【請求項４】
ネットワークイベントが、呼を実際に、またはほぼ切断した状態を含む請求項１記載の方法。
【請求項５】
ネットワークイベントが、ハンドオフに失敗した状態を含む請求項１記載の方法。
【請求項６】
ネットワークイベントが、ハンドオフまたはほぼハンドオフ状態を含む請求項１記載の方法。
【請求項７】
ハンドオフ状態が、ハードまたはソフトハンドオフ状態を含む請求項６記載の方法。
【請求項８】
ほぼハンドオフ状態が、ハードまたはソフトハンドオフ状態を含む請求項６記載の方法。
【請求項９】
ネットワークイベントが、帯域状態の変化を含む請求項１記載の方法。
【請求項１０】
ネットワークイベントが、加入者局が２つの無線通信システムまたはシステムエンティティの受信可能範囲領域間を通ることを含む請求項１記載の方法。
【請求項１１】
ネットワークイベントが、加入者局がドナー基地局および中継器の受信可能範囲領域間を通ることを含む請求項１記載の方法。
【請求項１２】
ネットワークイベントが、予想外の、または予想外に強いパイロットの加入者局における検出を含む請求項１記載の方法。
【請求項１３】
ネットワークイベントが、予想外の基地局の加入者局における検出を含む請求項１記載の方法。
【請求項１４】
ネットワークイベントが、加入者局の近傍リストにないパイロットの加入者局における検出を含む請求項１記載の方法。
【請求項１５】
１つ以上の無線ネットワークアプリケーションに役立つデータを得る方法であって、方法が、次のステップ、すなわち、
タイマが切れたことを検出するステップと、
タイマが切れたことを検出することに応答して、無線通信システム内で動作している加入者局の位置推定を得るステップと、
位置推定を得ることに応答して、測定された、または得られた、データおよびイベント識別子の少なくとも一方と、加入者局の位置推定を関係付けるレコードを形成するステップと、
レコードを形成することに応答して、レコードを記憶または送信するステップとを行うことを含み、
レコードが、位置推定を、パイロット強度および位相の１つ以上の測定値と関係付け、パイロットの少なくとも１つが、加入者局と基地局との間に存在しているトラヒックチャネルと関係付けられ、トラヒックチャネルが、順方向トラヒックチャネルおよび逆方向トラヒックチャネルの少なくとも一方である方法。
【請求項１６】
１つ以上の無線ネットワークアプリケーションに役立つデータを得る方法であって、方法が、次のステップ、すなわち、
ユーザが９１１呼を開始することを検出するステップと、
ユーザが９１１呼を開始することを検出することに応答して、無線通信システム内で動作している加入者局の位置推定を得るステップと、
位置推定を得ることに応答して、測定された、または得られた、データおよびイベント識別子の少なくとも一方と、加入者局の位置推定を関係付けるレコードを形成するステップと、
レコードを形成することに応答して、レコードを記憶または送信するステップとを行うことを含み、
レコードが、位置推定を、パイロット強度および位相の１つ以上の測定値と関係付け、パイロットの少なくとも１つが、加入者局と基地局との間に存在しているトラヒックチャネルと関係付けられ、トラヒックチャネルが、順方向トラヒックチャネルおよび逆方向トラヒックチャネルの少なくとも一方である方法。
【請求項１７】
１つ以上の無線ネットワークアプリケーションに役立つデータを得る方法であって、方法が、次のステップ、すなわち、
ウエブがイネーブルされた加入者局における位置に依存するサービスに対する要求を検出するステップと、
ウエブがイネーブルされた加入者局における位置に依存するサービスに対する要求を検出することに応答して、無線通信システム内で動作している加入者局の位置推定を得るステップと、
位置推定を得ることに応答して、測定された、または得られた、データおよびイベント識別子の少なくとも一方と、加入者局の位置推定を関係付けるレコードを形成するステップと、
レコードを形成することに応答して、レコードを記憶または送信するステップとを行うことを含み、
レコードが、位置推定を、パイロット強度および位相の１つ以上の測定値と関係付け、パイロットの少なくとも１つが、加入者局と基地局との間に存在しているトラヒックチャネルと関係付けられ、トラヒックチャネルが、順方向トラヒックチャネルおよび逆方向トラヒックチャネルの少なくとも一方である方法。
【請求項１８】
１つ以上の無線ネットワークアプリケーションに役立つデータを得る方法であって、方法が、次のステップ、すなわち、
トリガリングイベントの発生を検出するステップと、
トリガリングイベントの発生を検出することに応答して、無線通信システム内で動作している加入者局の位置推定を得るステップと、
タイマが切れたことを検出するステップと、
タイマが切れたことを検出することに応答して、無線通信システム内で動作している加入者局の位置推定を得るステップと、
位置推定を得ることに応答して、測定された、または得られた、パイロット強度または位相の１つ以上の測定値を表している、データおよびイベント識別子の少なくとも一方と、加入者局の位置推定を関係付けるレコードを形成するステップと、
レコードを形成することに応答して、レコードを記憶または送信するステップとを行うことを含む方法。
【請求項１９】
パイロットの少なくとも１つが、加入者局と基地局との間に存在しているトラヒックチャネルと関係付けられている請求項１８記載の方法。
【請求項２０】
トラヒックチャネルが、順方向トラヒックチャネルである請求項１９記載の方法。
【請求項２１】
トラヒックチャネルが、逆方向トラヒックチャネルである請求項１９記載の方法。
【請求項２２】
位置推定が、加入者局によって判断される請求項１記載の方法。
【請求項２３】
位置推定が、加入者局以外のシステム内のエンティティによって判断される請求項１記載の方法。
【請求項２４】
他のエンティティが、位置判断エンティティである請求項２３記載の方法。
【請求項２５】
レコードが、加入者局において局所的に記憶される請求項１記載の方法。
【請求項２６】
レコードが送信され、無線通信システム内の遠く離れた場所に記憶される請求項１記載の方法。
【請求項２７】
加入者局の位置を関係付けているレコードが、無線通信システムによってサービスされている他の加入者局によって得られる他の加入者局の位置を関係付けているレコードを保持しているデータベースに記憶される請求項２６記載の方法。
【請求項２８】
基地局暦情報が、前記データベースに関係する請求項２７記載の方法。
【請求項２９】
請求項１記載の方法を具体化する一連のソフトウエア命令を記憶するメモリ。
【請求項３０】
プロセッサおよび請求項２９記載のメモリを含むシステムであって、プロセッサが、メモリに記憶されているソフトウエア命令にアクセスし、実行するように構成されているシステム。
【請求項３１】
加入者局によって具体化されるか、またはその中に取入れられる請求項３０記載のシステム。
【請求項３２】
１つ以上のネットワークアプリケーションに役立つデータを得るための無線通信システムであって、
各々が、（１）ネットワークイベントの発生を検出することに応答して、加入者局の位置推定を得るか、または得てしまっている、（２）位置推定を得るか、または得てしまっていることに応答して、測定された、または得られた、データおよびネットワークイベントの識別子の少なくとも一方と、加入者局の位置推定を関係付けるレコードを形成するか、または形成してしまっている、および（３）レコードを形成するか、または形成してしまっていることに応答して、レコードをデータベースに記憶するか、または記憶してしまっているように構成された１つ以上のネットワークエンティティを含み、
１つ以上のネットワークイベントが、ハンドオフに失敗した状態を含み、データベースから引き出されたハンドオフに失敗した領域のマップを表わすデータと、各領域ごとに、領域を１つ以上の基地局と関係付ける関係付けデータとを保持しているメモリをさらに含む無線通信システム。
【請求項３３】
データベースから引き出されたデータにアクセスし、このデータを使用して、ハンドオフに失敗した領域内へロームしたことを検出すると、ハンドオフに失敗した領域と関係付けられた１つ以上の基地局を、ハンドオフを支援するために加入者局に適用可能な１つ以上のリスト上へ強制するか、または強制してしまっているように構成された１つ以上の加入者局を含む請求項３２記載のシステム。
【請求項３４】
データベースから引き出されたデータにアクセスし、このデータを使用して、ハンドオフに失敗した領域内へロームしたことを検出すると、ハンドオフを支援するために加入者局に適用可能な１つ以上の閾値を調節するか、または調節しまっているように構成された１つ以上の加入者局をさらに含む請求項３２記載のシステム。
【請求項３５】
データベースから引き出されたデータにアクセスし、このデータを使用して、ハンドオフに失敗した領域内へロームしたことを検出したときに、ハンドオフを支援するために加入者局に適用可能な１つ以上のサーチ時間を調節するか、または調節してしまっているように構成された１つ以上の加入者局をさらに含む請求項３２記載のシステム。
【請求項３６】
１つ以上のトリガリングイベントが、加入者局が受信可能範囲のギャップ内へ、そこから外へ、またはその中でロームすることを含む請求項３２記載のシステム。
【請求項３７】
受信可能範囲のギャップのマップを含んでいるデータベースから引き出されるデータを保持しているメモリをさらに含む請求項３６記載のシステム。
【請求項３８】
データベースから引き出され、１つ以上の勾配マップを表わしているデータを保持しているメモリをさらに含む請求項３６記載のシステム。
【請求項３９】
１つ以上の無線ネットワークアプリケーションに役立つデータを得る方法であって、無線通信システム内で動作している複数の加入者局の各々によって、またはそのために、次のステップ、すなわち、
ネットワークイベントの発生を検出するステップと、
ネットワークイベントの発生を検出することに応答して、加入者局の位置推定を得るステップと、
位置推定を得ることに応答して、測定された、または得られた、データおよびトリガリングイベントの識別子の少なくとも一方と、加入者局の位置推定を関係付けるレコードを形成するステップと、
レコードを形成することに応答して、レコードをデータベースに記憶するか、または記憶してしまっているステップとを行うことを含み、
ネットワークイベントが、加入者局が受信可能範囲領域に入ること、加入者局が受信可能範囲領域から出ること、および加入者局が無線通信システムの受信可能範囲領域の外にいる間に、タイマが切れることの中の少なくとも１つを含む方法。
【請求項４０】
ネットワークイベントが、ハンドオフに失敗した状態を含む請求項３９記載の方法。
【請求項４１】
ハンドオフに失敗した領域のマップを含んでいるデータベースからのデータと、１つ以上の基地局を各領域と関係付ける関係付けデータとを引き出すことをさらに含む請求項４０記載の方法。
【請求項４２】
加入者局がハンドオフに失敗した領域内へロームすると、ハンドオフに失敗した領域と関係付けられた基地局を、ハンドオフを支援するために加入者局に適用可能な１つ以上のリスト上へ強制するか、または強制してしまっていることをさらに含む請求項４１記載の方法。
【請求項４３】
加入者局がハンドオフに失敗した領域内へロームすると、ハンドオフを支援するために加入者局に適用可能な１つ以上の閾値を調節するか、または調節してしまっていることをさらに含む請求項４１記載の方法。
【請求項４４】
加入者局がハンドオフに失敗した領域内へロームすると、ハンドオフを支援するために加入者局に適用可能な１つ以上のサーチ時間を調節するか、または調節してしまっていることをさらに含む請求項４１記載の方法。
【請求項４５】
１つ以上のトリガリングイベントが、受信可能範囲のギャップ内へ、そこから外へ、またはその中でロームすることを含む請求項３９記載の方法。
【請求項４６】
データベースから、受信可能範囲のギャップのマップを表わしているデータを引き出すことをさらに含む請求項４５記載の方法。
【請求項４７】
データベースから、１つ以上の勾配マップを表わしているデータを引き出すことをさらに含む請求項４５記載の方法。
【請求項４８】
ネットワークの計画または最適化アプリケーションのためのデータを使用することをさらに含む請求項４６記載の方法。
【請求項４９】
ネットワークの計画または最適化アプリケーションのため、またはＲＦ伝搬モデルを確認するためのデータを使用することをさらに含む請求項４７記載の方法。
【請求項５０】
１つ以上の無線ネットワークアプリケーションに役立つデータを得る方法であって、次のステップ、すなわち、
複数の加入者局の各々のために、位置推定に応答して、測定された、または得られた、データおよびネットワークイベントの識別子の少なくとも一方と、ネットワークイベントの発生を検出することに応答して得られた加入者局の位置推定を関係付けるレコードを形成するステップと、
レコードを形成するステップに応答して、レコードをデータベースに記憶するステップと、
データベースから引き出されたデータを使用して、１つ以上のネットワークの計画、最適化、確認、または動作アプリケーションを行うステップとを行うことを含み、
ネットワークイベントが、加入者局が受信可能範囲領域に入ること、加入者局が受信可能範囲領域から出ること、および加入者局が無線通信システムの受信可能範囲領域の外にいる間に、タイマが切れることの少なくとも１つを含む方法。